(57)【要約】【課題】ネットワーク経由でレコーダのＧＵＩを表示するテレビがあり、新たにネットワークにレコーダをつないだとき、ユーザがテレビからネットワーク経由で利用するデフォルトのレコーダを再設定する必要があるが、実際に新旧どちらのレコーダのＧＵＩがより使いやすいかは、各機器にアクセスするまでわからなかった。【解決手段】テレビはリモコン入力Ｉ／Ｆと制御部とブラウザと表示部とネットワークＩ／Ｆを備え、ブラウザはプレビュー画面に入る前の画面を制御する現画面制御部以外に新旧のレコーダのプレビュー画面を表示するための第１のプレビュー、第２のプレビューという確認画面制御部を持ち、レコーダはネットワークＩ／Ｆと制御部と状態管理部とＲＵＩデータ処理部を持ち、テレビで新旧のレコーダのＧＵＩをプレビュー表示し、かつそのＧＵＩを用いてレコーダの操作を疑似体験できるようにした。【選択図】図１
2010135884.tif 000002
【特許請求の範囲】
【請求項１】
映像再生装置と接続された映像表示装置であって、
前記映像再生装置から受信したＧＵＩ構成情報からＧＵＩを生成する画面制御部と、
操作指示を受け付ける指示入力部と、
前記受け付けた操作指示を前記映像再生装置に送り、前記映像再生装置から当該操作指示に対応したＧＵＩ構成情報を受け取り、前記画面制御部に対して当該ＧＵＩ構成情報を送る制御部とを備えることを特徴とする映像表示装置。
【請求項２】
前記制御部は、前記映像表示装置に複数の再生装置が接続された場合に、それぞれの映像再生装置に対して、前記操作指示を送り、それぞれの映像再生装置から当該操作指示に対応したＧＵＩ構成情報をそれぞれ受け取り、前記画面制御部に対してそれぞれのＧＵＩ構成情報を送り、
前記画面制御部は、前記制御部から受け取った、前記複数の映像再生装置それぞれのＧＵＩ構成情報に対して、それぞれのＧＵＩを生成し、それぞれのＧＵＩを同時に表示すること、
を特徴とする請求項１記載の映像表示装置。
【請求項３】
映像表示装置に接続された映像再生装置であって、
ＧＵＩ構成部品を保存するＧＵＩデータ制御部と、
当該映像再生装置の遷移状態を管理する状態管理部と、
前記映像表示装置から、コマンドを仮に実行する旨の指示を受け取った場合には、当該コマンドに対応した処理は行わずに、当該コマンドに応じて当該映像再生装置の状態を遷移させ前記状態管理部で管理し、当該映像再生装置の状態に応じたメニューを表示するのに用いるＧＵＩ構成部品を前記ＧＵＩデータ制御部より取得し、前記映像表示装置に対して送信する制御部とを備えることを特徴とする映像再生装置。
【請求項４】
前記制御部は、前記コマンドを仮に実行する旨の指示を受け取った場合には、当該指示を受け取った時点での当該映像再生装置の状態を保存し、仮に実行する状態が解除された旨の指示を受け取った場合には、前記保存した当該映像再生装置の状態を復元することを特徴とする請求項３記載の映像再生装置。
【請求項５】
ネットワークを通じて接続された映像表示装置と映像再生装置とからなる視聴システムにおいて、
前記映像表示装置は、
前記映像再生装置から受信したＧＵＩ構成情報からＧＵＩを生成する画面制御部と、
操作指示を受け付ける指示入力部と、
前記受け付けた操作指示を前記映像再生装置に送り、前記映像再生装置から当該操作指示に対応したＧＵＩ構成情報を受け取り、前記画面制御部に対して当該ＧＵＩ構成情報を送る制御部を備え、
前記映像再生装置は、
ＧＵＩ構成部品を保存するＧＵＩデータ制御部と、
当該映像再生装置の遷移状態を管理する状態管理部と、
前記映像表示装置から、コマンドを仮に実行する旨の指示を受け取った場合には、当該コマンドに対応した処理は行わずに、当該コマンドに応じて当該映像再生装置の状態を遷移させ前記状態管理部で管理し、当該映像再生装置の状態に応じたメニューを表示するのに用いるＧＵＩ構成部品を前記ＧＵＩデータ制御部より取得し、前記映像表示装置に対して送信する制御部とを備える
ことを特徴とする視聴システム。
【請求項６】
ネットワークを通じて接続された映像表示装置と複数の映像再生装置とからなる視聴システムにおいて、
前記映像表示装置は、
操作指示を受け付ける指示入力部と、
前記受け付けた操作指示を複数の前記映像再生装置それぞれに対して送り、複数の前記映像再生装置から当該操作指示に対応したＧＵＩ構成情報をそれぞれ受け取り、前記画面制御部に対してそれぞれのＧＵＩ構成情報を送る制御部と、
前記映像再生装置から受信した前記複数の映像再生装置それぞれのＧＵＩ構成情報に対して、それぞれのＧＵＩを生成し、それぞれのＧＵＩを同時に表示する画面制御部と、
を備え、
前記複数の映像再生装置のそれぞれは、
ＧＵＩ構成部品を保存するＧＵＩデータ制御部と、
当該映像再生装置の遷移状態を管理する状態管理部と、
前記映像表示装置から、コマンドを仮に実行する旨の指示を受け取った場合には、当該コマンドに対応した処理は行わずに、当該コマンドに応じて当該映像再生装置の状態を遷移させ前記状態管理部で管理し、当該映像再生装置の状態に応じたメニューを表示するのに用いるＧＵＩ構成部品を前記ＧＵＩデータ制御部より取得し、前記映像表示装置に対して送信する制御部とを備える
ことを特徴とする視聴システム。
【発明の詳細な説明】
【技術分野】
【０００１】
本発明は、ＬＡＮ（Ｌｏｃａｌ  Ａｒｅａ  Ｎｅｔｗｏｒｋ）ケーブルなどを通じて、デジタルテレビジョン（以下、テレビと略す）や、ハードディスク（Ｈａｒｄ  Ｄｉｓｋ  Ｄｒｉｖｅ）内蔵ＤＶＤレコーダなどの記録再生機器（以下、レコーダと略す）と接続されるこれらテレビやレコーダなどを含めた機器である映像再生機において、当該映像再生機で使用するＧｒａｐｈｉｃａｌ  Ｕｓｅｒ  Ｉｎｔｅｒｆａｃｅ（ＧＵＩ）を選択するためのＧＵＩ切替プレビュー等の表示に関するものであり、より利用者に使い勝手のよいＧＵＩを提供できるようにする映像再生装置、映像再生方法、及び視聴システムに関する。
【背景技術】
【０００２】
近年、一般家庭においてもＬＡＮケーブルやＨＤＭＩケーブルを用いた各種ネットワークを通じて、相互に接続可能なテレビやレコーダが普及しつつある。
【０００３】
これらの機器がネットワークにより接続されることにより、例えば、テレビとレコーダがネットワークを通じて接続された場合には、ネットワーク内のレコーダなどから送られた映像データをテレビに表示させることが可能になったり、またレコーダなどが表示しているメニューをテレビに表示し、そのメニューを通じてレコーダを操作することが可能になる。
【０００４】
このようにテレビとレコーダを協働させるために、テレビから操作できるレコーダを予め決めておくようにすることがある。例えば、テレビの番組表で番組を選択して、録画予約する際に、録画先のレコーダをその都度選ぶという手間を省くため、予め設定画面で録画予約先のレコーダを選んでおく、という方法がある。
【０００５】
また、同じく協働の例として、テレビのメニューの１つである「レコーダを操作する」を選んだときに、デフォルトで操作するレコーダを決めておくという方法もある。
【０００６】
（特許文献１）には、このような課題を解決するために、ＬＡＮに新しいレコーダが接続された場合、従来のレコーダを選択させる方法として機器の機能の一覧を表示させる技術が開示されている。
【特許文献１】特開２００７−４５６５号公報
【発明の開示】
【発明が解決しようとする課題】
【０００７】
新たなレコーダを導入した際には、ユーザにとってはそのＧＵＩの使い勝手も重要であり、テレビと協働させる機器として利用する前に判断したい。
【０００８】
しかしながら、新たなレコーダが接続された際に、そのままテレビと協働させる機器として新たなレコーダを自動的に割り当てるのでは、そのＧＵＩの使い勝手の判断がつかない。仮に、接続する前に、そのＧＵＩの一画面を単に表示させただけでは、ユーザはその使い勝手の大体を判断しきれない。
【０００９】
結局、協働させる機器として設定させた後に実際にＧＵＩを操作してみてはじめて、そのＧＵＩの使い勝手について判断するしかなかった。
【課題を解決するための手段】
【００１０】
上記目的を達成するために、本発明の映像表示装置は、映像再生装置と接続された映像表示装置であって、前記映像再生装置から受信したＧＵＩ構成情報からＧＵＩを生成する画面制御部と、操作指示を受け付ける指示入力部と、前記受け付けた操作指示を前記映像再生装置に送り、前記映像再生装置から当該操作指示に対応したＧＵＩ構成情報を受け取り、前記画面制御部に対して当該ＧＵＩ構成情報を送る制御部とを備える。
【００１１】
また、前記制御部は、前記映像表示装置に複数の再生装置が接続された場合に、それぞれの映像再生装置に対して、前記操作指示を送り、それぞれの映像再生装置から当該操作指示に対応したＧＵＩ構成情報をそれぞれ受け取り、前記画面制御部に対してそれぞれのＧＵＩ構成情報を送り、前記画面制御部は、前記制御部から受け取った、前記複数の映像再生装置それぞれのＧＵＩ構成情報に対して、それぞれのＧＵＩを生成し、それぞれのＧＵＩを同時に表示するように構成しても構わない。
【００１２】
また、本発明の映像再生装置は、映像表示装置に接続された映像再生装置であって、ＧＵＩ構成部品を保存するＧＵＩデータ制御部と、当該映像再生装置の遷移状態を管理する状態管理部と、前記映像表示装置から、コマンドを仮に実行する旨の指示を受け取った場合には、当該コマンドに対応した処理は行わずに、当該コマンドに応じて当該映像再生装置の状態を遷移させ前記状態管理部で管理し、当該映像再生装置の状態に応じたメニューを表示するのに用いるＧＵＩ構成部品を前記ＧＵＩデータ制御部より取得し、前記映像表示装置に対して送信する制御部とを備えるように構成しても構わない。
【００１３】
また、前記制御部は、前記コマンドを仮に実行する旨の指示を受け取った場合には、当該指示を受け取った時点での当該映像再生装置の状態を保存し、仮に実行する状態が解除された旨の指示を受け取った場合には、前記保存した当該映像再生装置の状態を復元するように構成しても構わない。
【発明の効果】
【００１４】
テレビにレコーダが接続された際に、テレビからレコーダに対して、レコーダのＧＵＩを要求し、テレビはそれを表示するため、ユーザはテレビにてレコーダのＧＵＩを確認することができる。
【００１５】
また、テレビと既に接続されているレコーダとからなる視聴環境においても、新しくレコーダが接続された場合には、テレビはそれぞれのレコーダに対してＧＵＩを要求し、また、ユーザから指示を受け付けて、仮にＧＵＩを動作させるため、既に接続されているレコーダのＧＵＩと、新たしく接続されたレコーダのＧＵＩとがテレビに表示され、ユーザが操作をしながら、その使い勝手を確認することができる。
【００１６】
これらにより、新旧のレコーダのＧＵＩ画面の一部の表示のみならずレコーダのあらゆる機能に関するＧＵＩの使い勝手や操作の疑似体験を通して比較してから、新旧のいずれかのレコーダをテレビと協働するレコーダとして選択することができる。
【発明を実施するための最良の形態】
【００１７】
以下本発明を実施するための最良の形態について、図面を参照しながら説明する。
【００１８】
（実施の形態１）
図１は、本発明の実施の形態１における再生システムの構成図である。
【００１９】
図１において、映像表示装置の一例であるテレビ１０１と、第１の映像再生装置の一例であるレコーダ１０２と、第２の映像再生装置の一例であるレコーダ１０３とは、ネットワークを通じて接続されている。ネットワークは、例えば、イーサネット（登録商標）を用いている。
【００２０】
テレビ１０１は、ネットワーク規格のＵＰｎＰ（Ｕｎｉｖｅｒｓａｌ  Ｐｌｕｇ  ＆  Ｐｌａｙ）に対応しており、ＵＰｎＰクライアント機器として振舞う。
【００２１】
レコーダ１０２はテレビ１０１と同様に、ＵＰｎＰに対応しており、ＵＰｎＰのサーバ機器として動作する。
【００２２】
レコーダ１０３は、レコーダ１０２と同等の機能を持ち、また、ＵＰｎＰ−ＡＶのサーバの機能を実装している。
【００２３】
テレビ１０１は、表示部１０４、画面制御部１０８、リモコン入力部１０５、制御部１０６、ネットワークＩ／Ｆ部１０７で構成されている。
【００２４】
表示部１０４は、現在再生している映像やテレビの制御メニューを表示する。ここに現画面１１０や第１のプレビュー１１２、第２のプレビュー１１３の画面が表示される。
【００２５】
リモコン入力部１０５は、外部のリモコン（図示せず）からの赤外線信号を受信して、テレビ１０１の制御を行う。
【００２６】
制御部１０６は、外部のリモコンや、ネットワークＩ／Ｆ部１０７を通じて受けた指示などに応じて、テレビ１０１において視聴画面の選択、映像入力機器の選択などの番組再生や、映像やメニューのＧＵＩなどを表示する表示部１０４などの機能の制御を行う。
【００２７】
ネットワークＩ／Ｆ部１０７は、テレビ１０１と接続されるＬＡＮ等からの情報の入出力部となる。本実施の形態１では、ネットワークとしてＬＡＮを例に説明しているが、このほかにＨＤＭＩなどによる接続等、その他ネットワークにより接続しても構わない。
【００２８】
画面制御部１０８は、記述言語を解釈して画面構成やメニュー部品を生成する。例えば、ブラウザ等を想定している。この際の記述言語として、レコーダ１０２やレコーダ１０３から入力されるＧＵＩ情報を、ｘｍｌ形式やｈｔｍｌ形式を用い、それを解釈するブラウザを想定している。
【００２９】
テレビ１０１の現画面制御部１０９は、画面制御部１０８の一部として、現画面１１０の表示状態を制御している。
【００３０】
テレビ１０１の現画面１１０は、プレビュー画面を表示する直前まで表示していた画面であり、プレビューの直前に再生している映像や画面制御部１０８の画面生成の機能を用いて表示しているＧＵＩのことである。さらに、プレビュー画面の背景となり、ユーザがプレビュー画面の表示を中止したときに戻る戻り先の画面となる。
【００３１】
確認画面制御部１１１は、ネットワークＩ／Ｆ部１０７経由でレコーダ１０２やレコーダ１０３のプレビュー画面である第１のプレビュー１１２や第２のプレビュー１１３を表示する。また、ここではレコーダから取得した画面を縮小表示する能力も持つ。
【００３２】
第１のプレビュー１１２は、レコーダ１０２のＧＵＩ情報などをプレビュー表示できるプレビュー画面表示機能であり、ネットワークＩ／Ｆ部１１４を通じてレコーダ１０２からＧＵＩ情報を取得して、画面表示する。
【００３３】
第２のプレビュー１１３は、レコーダ１０３のＧＵＩ情報などをプレビュー表示できるプレビュー画面表示機能であり、第１のプレビュー１１２と同様の仕組みでＧＵＩのプレビューを表示する。
【００３４】
ネットワークＩ／Ｆ部１１４は、レコーダ１０２がネットワークを通じた外部機器とのデータのやり取りなどの入出力を制御する。
【００３５】
制御部１１５は、状態管理部１１７やＧＵＩデータ制御部１１６を通じてレコーダ１０２のＧＵＩ情報の作成やプレビュー状態の制御を行う。
【００３６】
ＧＵＩデータ制御部１１６は、状態管理部１１７のプレビューでの状態情報を用いてレコーダ１０２のＧＵＩ情報を作成するモジュールである。
【００３７】
状態管理部１１７は、レコーダ１０２の状態管理を行い、プレビューモードのときには機器の状態は変えずに操作結果であるダミーの情報を作成する。
【００３８】
レコーダ１０３は、その構成がレコーダ１０２と同様である。レコーダ１０３における、ネットワークＩ／Ｆ部１１８、制御部１１９、ＧＵＩデータ制御部１２０、状態管理部１２１は、それぞれレコーダ１０２におけるネットワークＩ／Ｆ部１１４、制御部１１５、ＧＵＩデータ制御部１１６、状態管理部１１７で説明したのと同じ動作を行う。
【００３９】
次に、具体的な動作について説明する。
【００４０】
まず、テレビ１０１とレコーダ１０２とがネットワーク上で１対１で接続された状況での、テレビ１０１とレコーダ１０２との間で、レコーダ１０２が送信したＧＵＩ部品をテレビ１０１でメニューとして表示することについて説明する。今ここで、図１の構成においてテレビ１０１とレコーダ１０２とのみが接続されている状況について説明する。
【００４１】
テレビ１０１の現画面制御部１０９は、ユーザによるリモコンの操作により受けた指示である、リモコン入力部１０５を通じたメインメニュー表示の指示があると、ネットワークＩ／Ｆ部１０７を通じて、レコーダ１０２に対して、メインメニュー用のＧＵＩ部品をｈｔｔｐ−ＧＥＴを用いてリクエストする。
【００４２】
ここでのＧＵＩ部品はＨＴＭＬで構成されているものとする。ネットワークＩ／Ｆ部１１４を通じてリクエストを受けた制御部１１５は、状態管理部１１７に今の機器の状態を問い合わせ、状態情報を取得し、それを用いてＧＵＩデータ制御部１１６において、メインメニュー用ＧＵＩ部品（ＨＴＭＬ）を生成し、応答する。
【００４３】
テレビ１０１の制御部１０６はそれを受けて画面制御部１０８へ通知し、現画面制御部１０９はメインメニュー用のＧＵＩ部品を記述したＨＴＭＬを解釈し、現画面１１０として構成する。現画面１１０として構成された画面は、表示部１０４を通じてディスプレイに表示される。
【００４４】
次に、上記のようにテレビ１０１とレコーダ１０２とが接続された状況に対して、新たなレコーダであるレコーダ１０３が追加された際の動作について、図５を用いて説明する。
【００４５】
テレビ１０１とレコーダ１０２とがネットワークを通じて接続されている状態で、レコーダ１０３が接続されると、レコーダ１０３の制御部１１９は、まずネットワークＩ／Ｆ部１１８を通じてネットワークにつながったことを感知する。
【００４６】
制御部１１９は、ネットワークＩ／Ｆ部１１８を通じて、ｓｓｄｐ：：ａｌｉｖｅ（ネットワーク参加通知）を、ネットワークにつながっているＵＰｎＰ対応機器すべてにブロードキャストで送る。
【００４７】
続いて、ＵＰｎＰクライアントであるテレビ１０１の制御部１０６は、ネットワークＩ／Ｆ部１０７経由でこの情報を取得する。画面制御部１０８は、現画面制御部１０９で生成した現在の画面を表示しつつ、確認画面制御部１１１に指示を行い、レコーダ１０２とレコーダ１０３とから取得したＧＵＩ部品で構成したＧＵＩを、それぞれ第１のプレビュー１１２、第２のプレビュー１１３として表示する。
【００４８】
この手順を、図５に示したシーケンスを用いて説明する。
【００４９】
レコーダ１０３がネットワークに接続されると、制御部１１９は、ｓｓｄｐ：：ａｌｉｖｅ（ネットワーク参加通知）を、ネットワークにつながっているＵＰｎＰ対応機器すべてにブロードキャストで送る。
【００５０】
続いて、制御部１０６は、レコーダ１０３に対して、ＤＤＤ（Ｄｅｖｉｃｅ  Ｄｅｓｃｒｉｐｔｉｏｎ  Ｄｏｃｕｍｅｎｔ、図４参照）を要求する。
【００５１】
制御部１０６は、レコーダ１０３からＤＤＤを受け取る。
【００５２】
制御部１０６は、レコーダ１０３から取得したＤＤＤの中の、ｐｒｅｓｅｎｔａｔｉｏｎＵＲＬの項目を使って、レコーダ１０３に関するＧＵＩ部品の格納箇所を取得する。
【００５３】
なお、レコーダ１０２のＧＵＩのＵＲＬはレコーダ１０２がネットワークに参加するか、ＴＶがネットワークに参加した時点で、レコーダ１０３と同様の方法で既に取得済みとする。
【００５４】
次にテレビ１０１はレコーダ１０３のＧＵＩを、ｈｔｔｐ−ＧＥＴプロトコル（例えば、ｈｔｔｐ：／／１９２．１６８．０．２：１９００／ｇｕｉ／ｇｅｎｅｒａｔｏｒ．ｃｇｉ？ｐｌａｃｅ＝ｔｏｐｍｅｎｕ）を用いて取得する。この際に、ＳｏｕｒｃｅＵＲＬに記述されたＵＲＬ（ＣＧＩ形式）の末尾に、「＆ｓｔａｔｅ＝ｐｒｅｖｉｅｗ」という引数を追加する。この通知により、レコーダ１０３に対して、プレビューモードでの動作であることを、テレビ１０１は指示する。
【００５５】
すると、ＧＵＩのリクエストを受けたレコーダ１０３の制御部１１９は、その引数から、今回は「プレビューモードで動いたＧＵＩが要求されている」と解釈し、状態管理部１２１に「プレビューモード」で状態情報データをリクエストする。
【００５６】
状態管理部１２１は、レコーダ１０３の状態及び、レコーダ１０３のメニューについてその画面や状態遷移を保持している。例えば、図６に示すように、機器の状態及び、メニューの遷移図のルールを保持する。
【００５７】
次に制御部１１９はＧＵＩデータ制御部１２０に対して、レコーダ１０３の状態に応じた状態を用いてＧＵＩの生成を要求する。今回取得するＧＵＩがレコーダ１０３のトップメニューだった場合、ＧＵＩデータ制御部１２０は、保持しているＧＵＩ情報のうち、機器の状態に依存しない画面のレイアウト部分をＨＴＭＬ文として生成後、今度は機器の状態に依存する、例えば今の録画モードの情報や、最新コンテンツリストの情報などを状態管理部１２１が持っているダミーの情報を使って先ほどのＨＴＭＬ文に追記する。できたＨＴＭＬの一部を図７に示す。
【００５８】
テレビ１０１の確認画面制御部１１１は、ネットワークＩ／Ｆ部１０７経由で取得したＧＵＩ部品の情報を受け取ると、レコーダ１０２とレコーダ１０３のそれぞれのＧＵＩの画面を並べて表示する。例えば、図２のように、左右に並んで入るように画面を縮小して表示する。また、左右のどちらが新しいかがわかるように、画面の上に「今までのＧＵＩ」、「新しいＧＵＩ」等と表記する。図２では、左右に並べて表示しているが、上下に並べても構わない。また、それぞれのＧＵＩがどちらのものであるのかを示すために、「今までのＧＵＩ」等の表示の代わりにレコーダの型番などを示す等としても構わない。
【００５９】
なお、レコーダ１０２のＧＵＩ取得方法、ＧＵＩ操作方法はレコーダ１０３と同様である。
【００６０】
レコーダ１０２、レコーダ１０３のそれぞれのトップメニューが表示された後、ユーザがリモコンなどにより操作すると、テレビ１０１はリモコン入力部１０５から指示を受け付ける。この際に、テレビ１０１からは、それに対応する指示が、レコーダ１０２、レコーダ１０３に対して送られるが、それぞれのレコーダ１０２、レコーダ１０３はプレビューモードでの動作となる。つまり、レコーダ１０２、レコーダ１０３はコマンドを受け取っても、そのコマンドに対する実際の処理は行わない。その代わりに、仮にその処理がなされた際のＧＵＩ画面の更新を行い、その結果をテレビ１０１に対して送る。
【００６１】
例えば、ユーザからコンテンツリストの削除を受けたとしても、その旨のコマンドを受け取ったレコーダ１０３において、ＧＵＩデータ制御部１２０は、状態管理部１２１にコンテンツの削除を伝え、状態管理部１２１から仮に削除した後の状態のデータを取得し、テレビ１０１へ送る。第２の映像再生装置は、ＧＵＩのプレビューモードでの動作であるので、仮にコンテンツリストを削除した結果を返したが、テレビ１０１からプレビューモードでの動作が解除された旨の指示を受ければ、それまでに行っていた仮の処理は破棄なされて、プレビューモード処理を行う直前の状態に戻る。
【００６２】
続いて、２つのレコーダで、同じ遷移の画面を出す手順について説明する。
【００６３】
まず、ここでは予めＧＵＩのある状態を表すキーワードがテレビ１０１とレコーダ１０２、レコーダ１０３間で共有できているものとする。
【００６４】
ユーザがテレビ１０１を通じてメインメニューのサブメニューを出すよう指示すると、テレビ１０１の制御部１０６は、レコーダ１０２とレコーダ１０３に対してＣＧＩをコールするときに、使いたい機能を表す文字列について、同じある状態を表すキーワードを指定する。この場合サブメニューを表す「ｓｕｂｍｅｎｕ」である。また、このキーワードは予めテレビ１０１とレコーダ１０２、レコーダ１０３とで予めデータベースの形で同じものが共有されているとする。すると、前の段落で述べたようにレコーダ１０２、レコーダ１０３でそれに該当するサブメニューのＧＵＩのＨＴＭＬ文を作成し、それぞれテレビ１０１へ送付する。これにより、２つのレコーダで同じ遷移の画面を出すことができる。
【００６５】
以上のように、新旧のレコーダの状態を変更せずに１つの画面の中でユーザが実際に新旧のＧＵＩを操作することによってＧＵＩの使い勝手を比較することができる。
【００６６】
なお、レコーダ１０３のダミーの情報をここでは状態管理部１２１が管理しているが、これはＧＵＩデータ制御部１２０が持っていて、状態遷移に関する情報だけを状態管理部１２１から取得するようにしてもよい。
【００６７】
また、今回ＧＵＩ部品はＨＴＭＬで作成しているが、Ａｊａｘを用いて、ＨＴＭＬを画面のレイアウトに、動的に変化するコンテンツリストなどの情報はＸＭＬを組み合わせたもの、ＸＭＬだけで構成、等でもよい。
【産業上の利用可能性】
【００６８】
本発明にかかるＧＵＩ切替プレビュー装置は、レコーダの状態を変更することなく、レコーダのＧＵＩのプレビューを表示することができるため、ネットワーク経由でテレビから使えるレコーダを複数台ネットワークにつないで使用する場合にＧＵＩの使い勝手を選択基準とした機器選択手段等として有用である。
【図面の簡単な説明】
【００６９】
【図１】本発明の実施の形態におけるシステムの構成図
【図２】テレビに表示されたレコーダ１とレコーダ２のＧＵＩのプレビュー表示を表す図
【図３】ｓｓｄｐ：：ａｌｉｖｅの例を示す図
【図４】ＤＤＤの例を示す図
【図５】第２の映像再生装置がネットワークに加わったときの処理フローを示す図
【図６】レコーダの画面遷移管理情報の例を示す図
【図７】プレビュー画面情報の送信の例を示す図
【符号の説明】
【００７０】
１０１  テレビ
１０２  レコーダ
１０３  レコーダ
１０４  表示部
１０５  リモコン入力部
１０６  制御部
１０７  ネットワークＩ／Ｆ部
１０８  画面制御部
１０９  現画面制御部
１１０  現画面
１１１  確認画面制御部
１１２  第１のプレビュー
１１３  第２のプレビュー
１１４  ネットワークＩ／Ｆ部
１１５  制御部
１１６  ＧＵＩデータ制御部
１１７  状態管理部
１１８  ネットワークＩ／Ｆ部
１１９  制御部
１２０  ＧＵＩデータ制御部
１２１  状態管理部
【図１】
2010135884.tif 000003
【図２】
2010135884.tif 000004
【図３】
2010135884.tif 000005
【図４】
2010135884.tif 000006
【図５】
2010135884.tif 000007
【図６】
2010135884.tif 000008
【図７】
2010135884.tif 000009